(57)【要約】本発明は、偽造が困難で、しかも偽造されたかどうかを視覚的に検証することが容易な文書の印刷システムおよび印刷方法に関する。システムは、文書の表面に画像を印刷するための着色剤、表面下にその画像の潜像を形成するための染料、そしてマイグレーション剤を有する基板とを有し、当該マイグレーション剤は、染料が少なくとも途中まで基板をマイグレーションするのを助ける。マイグレーション促進剤は、基板の一部分にコーティングされていてもよいし、基板内部に埋め込まれていてもよい。
2005526274.tif 000002
【特許請求の範囲】
【請求項１】
トナーベースの画像生成技術を用いて、セキュリティ文書を生成するシステムであって、
着色剤および染料を有するトナーと
マイグレーション促進剤を有する基板とを有し、
前記染料は、基板の途中までマイグレーションして印刷文書の不滅画像を形成するよう構成されていること、
を特徴とする前記システム。
【請求項２】
トナーが、マイグレーション促進剤を有すること、
を特徴とする請求項１に記載のシステム。
【請求項３】
トナーはさらに、熱可塑性バインダ樹脂と電荷制御剤とを有すること、
を特徴とする請求項１に記載のシステム。
【請求項４】
熱可塑性樹脂の構成成分は、ポリエステル樹脂、スチレンの単独                        ポリマーあるいは共重合ポリマー、エポキシ樹脂、そしてラテックスベースの樹脂のうち１つ以上から成るグループから選択された材料で成ること、
を特徴とする請求項３に記載のシステム。
【請求項５】
電荷制御剤は、銅フタロシアニン顔料、アルミニウム錯塩、第4級フッ素アンモニウム塩、クロム錯塩タイプのアゾ染料、クロム錯塩、そしてカリックスアレーン化合物から成るグループから選択された材料で成ること、
を特徴とする請求項３に記載のシステム。
【請求項６】
着色剤は、酸化鉄、マグネタイト物質、カーボンブラック、マンガン二酸化物、酸化銅、そしてアニリンブラックから成るグループから選択された材料で成ること、
を特徴とする請求項１に記載のシステム。
【請求項７】
染料は、フェナジン、スチルベン、ニトロソ基、トリアノールメタン、ジアリールメタン、シアニン、ペリレン、タートラジン、キサンテン、アゾ含有物、ジアゾ化合物、トリフェニルメタン、アントラキノン、ピラゾロン、キノリン、
そしてフタロシアニンから成るグループから選択された材料で成ること、
を特徴とする請求項１に記載のシステム。
【請求項８】
染料はキサンテンで成ること、
を特徴とする請求項７に記載のシステム。
【請求項９】
染料と基板とは、染料が基板の第１の表面から基板の第２の表面までマイグレーションし、第２の表面に不滅画像を形成することができるよう構成されていること、
を特徴とする請求項１に記載のシステム。
【請求項１０】
基板は紙で成ること、
を特徴とする請求項１に記載のシステム。
【請求項１１】
紙はパルプで成ること、
を特徴とする請求項１０に記載のシステム。
【請求項１２】
紙は、マイグレーション促進剤を有し、当該マイグレーション促進剤は、オイル、可塑剤、液体ポリマー、あるいはこれらの組み合わせから成るグループから選択されていること、
を特徴とする請求項１０に記載のシステム。
【請求項１３】
マイグレーション促進剤は、基板の第１の表面にコーティングされていること、
を特徴とする請求項１に記載のシステム。
【請求項１４】
マイグレーション促進剤は、基板の第２の表面にコーティングされていること、
を特徴とする請求項１３に記載のシステム。
【請求項１５】
マイグレーション促進剤は、基板内部に埋め込まれていること、
を特徴とする請求項１に記載のシステム。
【請求項１６】
着色剤は、磁気インク文字認識イメージを形成するのに適した磁性材料を有すること、
を特徴とする請求項１に記載のシステム。
【請求項１７】
セキュリティ文書を形成する方法であって、
第１の表面と第２の表面とを有する基板を設けるステップと、
着色剤と染料とを有するトナーを第１の表面に塗布するステップと、
染料を用いて画像のコピーを形成するステップと、
を有することを特徴とする前記方法。
【請求項１８】
コピーを形成するステップは、第２の表面に画像のコピーを作成するステップを有すること、
を特徴とする請求項１７に記載の方法。
【請求項１９】
コピーを形成するステップは、画像のコピーを第２の表面に現れる形で作成するステップを有すること、
を特徴とする請求項１７に記載の方法。
【請求項２０】
コピー形成ステップは、画像のコピーを第１の表面に現れる形で形成するステップを有すること、
を特徴とする請求項１７に記載の方法。
【請求項２１】
基板を設けるステップは、マイグレーション促進剤を構成に含む基板を供給
するステップを有すること、
を特徴とする請求項１７に記載の方法。
【請求項２２】
セキュリティ画像の印刷システムを形成する方法であって、
着色剤と染料とを有するトナーを設けるステップと
マイグレーション促進剤と基材とを有する基板を設けるステップと、
を有することを特徴とする前記方法。
【請求項２３】
基板を設けるステップは、マイグレーション促進剤を基材の表面にコーティングするステップを有すること、
を特徴とする請求項２２に記載の方法。
【請求項２４】
基板を設けるステップは、マイグレーション促進剤が埋め込まれた基材を形成するステップを有すること、
を特徴とする請求項２２に記載の方法。
【請求項２５】
画像と当該画像のセキュリティコピーとを有するセキュリティ文書を印刷するシステムであって、
第１の反応物質を有するトナーと
第２の反応物質を有する基板と、
を有し、
第１の反応物質と第２の反応物質が結合してセキュリティコピーを形成すること、
を特徴とする前記システム。
【請求項２６】
第１の反応物質は、無色の染料形成剤であること、
を特徴とする請求項２５に記載のシステム。
【請求項２７】
第１の反応物質は、染料形成剤と反応してセキュリティコピーを形成するよう構成された相互反応物質であること、
を特徴とする請求項２５に記載のシステム。
【請求項２８】
第２の反応物質は、無色の染料形成剤であること、
を特徴とする請求項２５に記載のシステム。
【請求項２９】
第２の反応物質は、染料形成剤と反応してセキュリティコピーを形成するよう構成された相互反応物質であること、
を特徴とする請求項２５に記載のシステム。
【請求項３０】
画像と当該画像のセキュリティコピーとを有するセキュリティ文書を印刷するシステムであって、
着色染料と相互反応物質とを
有するトナーと
セキュリティコピーを有する基板と、
を有することを特徴とする前記システム。
【請求項３１】
画像と当該画像のセキュリティコピーとを有するセキュリティ文書を印刷するシステムであって、
画像形成トナーと
着色染料および相互反応物質を有し、セキュリティコピーを有する基板と、
を有することを特徴とする前記システム。
【発明の詳細な説明】
【技術分野】
【０００１】
（関連出願との相互参照）
本出願は、METHOD AND APPARATUS FOR SECURE PRINTING OF TONER-BASED IMAGES[トナーベース画像のセキュリティ印刷のための方法および装置]と名づけられた、２００２年５月１６日に出願された米国特許予備出願番号６０／３８１，４０５号に出願日遡及の利益を享受する。
【０００２】
本発明は、文書を印刷および複写するためのシステムならびに方法に関する。さらに詳しく言えば、本発明は、文書が偽造されにくく文書の原版を容易に識別できる、というセキュリティ性のある形で、文書の印刷および複写を行うためのトナーベースの画像生成システム、ならびにこうしたシステムの利用方法および形成方法に関する。
【背景技術】
【０００３】
電子写真、イオノグラフィー、磁気記録、そして同様の画像生成技術を含むトナーベースの文書画像生成は一般的に、静電気性あるいは磁気性の画像を帯電性あるいは磁性の光伝導体プレートまたはドラムの上に形成する処理、プレートまたはドラムに帯電トナーあるいは磁性トナーをかける処理、画像を紙などの基板に転写する処理、そして熱、圧力および／あるいは溶剤を使ってトナーを基板に溶融定着させる処理を含む。こうした技術を使って、比較的廉価な画像を簡単に基板表面に形成することができる。
【０００４】
トナーベースの画像生成は、比較的速く廉価な画像コピー生成技術であるため、しばしば、従来インパクトプリンティングやインクジェットプリンティンティングなど他の形の印刷法や画像生成法を使って形成されていた文書の制作に利用されている。たとえば近年、トナーベースの画像生成は、個人用小切手、株券、紙幣などの金融文書、遺書および捺印証書などの法的文書、ならびに薬剤処方箋および医師の指示書などの医療用文書を制作するために利用されている。残念なことに、トナーベースの画像技術を使って制作された文書は、画像が基板表面に形成されるため、比較的容易に偽造および／あるいは複製されてしまう。
【０００５】
セキュリティ文書を印刷あるいは形成するための技術については、長年にわたってさまざまなものが開発されてきた。初期のセキュリティ印刷技術は一般的に、データの印刷あるいは書き込み先となる紙に対する改良を含んでいた。たとえば、１９２９年９月１０日Snyder[スナイダー]に発行された米国特許１，７２７，９１２号の文書には、セキュリティ文書の制作に用いられる紙が開示されている。この紙は、比較的インク吸収性の低いコーティング部分と、容易にインクを吸収する紙本体部分とを有する。セキュリティ文書は、書き込み過程中にコーティングを切ったり破ったりする形で、インクを紙の吸収部分に浸透させて形成される。１９８５年１月２９日Devrient[デブリエント]に発行された米国特許４，４９６，９６１号の文書には、紙に関する別のセキュリティ印刷技術が開示されている。デブリエントからは、ロイコインクと色素受容体とが入った粉砕可能なマイクロカプセルを含んだ小切手用紙が開示されている。画像が紙表面に書き込まれる際に、マイクロカプセルが粉砕され、ロイコインクが色素受容体と反応して小切手用紙本体に画像を生成する。そのため、画像の偽造は困難である。１９９０年７月２６日にBruneaその他に発行された米国特許４，９３６，６０７号の文書および１９９１年７月２１日にBruneaその他に発行された米国特許５，０３３，７７３号の文書の両方において、別のセキュリティ文書印刷技術が開示されているが、当該技術は、溶剤と着色料とが入ったマイクロカプセルを有す。衝動を受けた時点で、マイクロカプセルは瞬時に、文書表面に印刷された画像の周囲に着色ハロゲン効果を引き起こし、文書表面に印刷された画像の偽造をさらに困難にする。これらの技術はインパクト型の印刷あるいは複写には比較的適しているが、トナーベースの印刷方法に関しては不適と思われる。
【０００６】
セキュリティ画像を制作するための技術には他に、特殊コーティングを紙に施し、静電コーティング過程で生成された画像の耐汚染性を高める、というものがある。１９９０年７月１７日にFitch[フィッチ]その他に発行された米国特許４，９４２，４１０号の文書および１９９０年9月１８日にフィッチその他に発行された米国特許４，９５８，１７３号の文書の両方において、トナー受容性の基板コーティングが開示されている。当該基板コーティングは、サイズが１μｍを超える鉱物性充填剤とポリマー接着剤とを有す。このコーティングは、コーティングしていない従来型の基板に比べ、長く続く耐汚染性を示し、それによって、印刷された画像の一部を除去する形での偽造をさらに困難にしている。しかし、フィッチその他の特許で説明されたコーティングは、文書にデータを加えることの可能性や、文書の真贋証明能力には影響を与えないと思われる。
【０００７】
１９９２年６月２３日Honnorat[オノラー]その他に発行された米国特許５，１２３，９９９号の文書には、別の種類の偽造防止紙が開示されている。オノラーその他によるこの紙は、芳香性化合物と、接合剤および／あるいは活性剤とを有す。芳香性化合物と接合剤あるいは活性剤とは、一般的にインク消去フェルトに含まれる還元剤と反応して着色作用を生じるので、紙に印刷された画像の一部分を消去しようとしたものがあれば、それが分かる。この技術は、文書の複写を形成したり原版を識別したりする能力に影響を与えない。
【０００８】
米国特許５，５２３，１６７号の文書には、セキュリティ性のあるMagnetic Ink Character Recognition（MICR）symbols[磁気インク文字認識マーク]が開示されているが、この技術には、不活性裏材を有するフィルムが使われており、当該不活性裏材は、樹脂、充填剤、磁気顔料、不乾性オイル、油溶性染料の混合物でコーティングされている。衝動を受けた時点で、転写レイヤーの一部が、文書表面に転写され、磁気読み取りが可能なフォント画像を形成する。転写後、転写されたコーティングに含まれる不乾性オイルは、基板への溶融定着を開始する。オイルは、可視油溶性染料を基板を貫通する形でゆきわたらせ、MICR画像が基板の反対側の面に現れる。                                          
【０００９】
１９９２年６月２３日にGruber[グルーバー]その他に発行された米国特許５，１２４，２１７号の文書には、電子写真印刷に用いられるセキュリティ印刷トナーが開示されている。このトナーは、文書偽造でしばしば使われるトルエンなどの溶剤に晒されると、偽造が試みられたことを示す着色汚れを発生させる。このトナーは、印刷された画像の一部が特定の溶剤を使って除去された場合に、偽造が試みられたことを示す、という形でしか役に立たない。したがって、このトナーを用いても、文書に材料（物質）を定着する形での偽造、あるいは文書の複製の危険を軽減することはできない。
【００１０】
最後に、１９９８年２月３日にMarinelloその他に発行された米国特許５，７１４，２９１号の文書には、紫外線感応性のサブミクロン粒子を有するトナーが開示されている。文書の真贋は、紫外線スキャナーを使って識別することができる。紫外線スキャナーの利用が必要になるということは、偽造分析に費用がかかると共に、追加の機器が必要になるということなので、一般的に好ましくない。
【００１１】
こうした理由で、トナーベース印刷を用いてセキュリティ文書を形成するための改良型の方法や機器であって、比較的容易で廉価なものが望ましい。
【発明の開示】
【発明が解決しようとする課題】
【００１２】
本発明は、トナーベースの画像生成印刷技術を用いてセキュリティ画像を生成するための改良型システム、ならびに当該システムを形成および利用するための改良型の方法を提供することを目的とする。本発明は、現在公知のシステムならびに方法のさまざまな問題点に対処することに加え、変造が困難で、しかも画像が変造されたかどうかを視覚的に判断することが容易な画像を生成するためのトナーベース印刷システムを提供する。
【課題を解決するための手段】
【００１３】
本発明の１つの実施の形態では、セキュリティ文書印刷システムは、基板とトナーとを有する。トナーは、着色剤と染料とを有し、当該着色剤は基板の第１の表面に印刷画像を形成し、前記染料は、基板をマイグレーションして、基板の第２の表面に当該印刷画像の潜像を目に見える形で形成する。当実施の形態の１つの側面によれば、トナーは、着色剤および染料に加えて、熱可塑性樹脂バインダ、電荷制御剤、離型剤を有する。当実施の形態の別の側面によれば、紙は、基板（紙など）の上あるいは内部に形成された形でマイグレーション促進剤を有する。マイグレーション促進剤の例としては、オイル、可塑剤、その他ポリマー物質があげられる。一般的に、マイグレーション促進剤は、染料が基板の第１の表面から第２の表面までマイグレーションするのを促進し、染料に対して溶剤として働く。
【発明の効果】
【００１４】
トナーと基板とを組み合わせて用いることで、セキュリティ画像を生成することができる。当該セキュリティ画像は、偽造が困難であり、基板の第１の表面に形成された印刷画像と基板の第２の表面側に現れる、染料で形成された印刷画像のコピーとを比較することによって画像が文書と同一かどうかを容易に判定できる、というものである。
本発明の別の実施の形態において、セキュリティトナーベースの印刷システムは、基板と着色剤および染料を有するトナーとを有する。着色剤は基板の第１の表面に印刷画像を形成し、前記染料は、基板の途中までマイグレーションして印刷画像のコピーを形成し、それは基板の第１の表面に現れる。印刷画像を染料で形成されたコピーと比較することで、複写元の印刷画像が変造されたかどうかを判定することができる。
【００１５】
本発明のさらに別の実施の形態では、トナーおよび／あるいは基板は、無色の染料構成物質と相互反応物質とを有し、当該相互反応物質は染料形成物質と反応して、印刷された画像の潜像を形成する。
本発明の別の実施の形態では、マイグレーション促進剤を有する基板は、マイグレーション促進剤を紙パルプ混合物に混ぜることによって形成される。また、当実施の形態の１つの側面によれば、マイグレーション促進剤は、オイル、可塑剤、液体ポリマー、あるいはそれらのいずれかの組み合わせを含む。
【００１６】
本発明の別の実施の形態では、マイグレーション促進剤を有する基板は、基材をマイグレーション促進剤でコーティングすることによって形成される。当実施の形態の１つの側面によれば、マイグレーション促進剤は、オイル、可塑剤、液体ポリマー、あるいはそれらのいずれかの組み合わせを含む。当実施の形態の別の側面によれば、基材の第１の表面および第２の表面の両方が、マイグレーション促進剤でコーティングされている。
【００１７】
本発明の別の実施の形態では、無色の染料構成物質および／あるいは相互反応物質を有する基板は、基板の一部分を染料構成物質および／あるいは相互反応物質でコーティングすることによって形成される。
本発明の別の実施の形態では、無色の染料構成物質および／あるいは相互反応物質を有する基板は、パルプ混合物に染料構成物質および／あるいは相互反応物質を配合して形成される。本発明の当実施の形態の１つの側面によれば、染料構成物質および／あるいは相互反応物質の一方または両方はカプセル化され、基板原料のほぼ１〜５重量％を占める。
【００１８】
本発明のさらに別の実施の形態によれば、トナー形成方法は、バインダ樹脂粒子を溶融混練するステップ、着色剤粒子、電荷制御剤、離型剤、染料、ならびにマイグレーション物質を樹脂粒子と混合するステップ、混合物を冷却するステップ、混合物を分類するステップ、そして分類された混合物と有機質の材料とを乾式混合するステップを有する。本発明の別の実施の形態では、トナーは、溶融分散法、分散重合法、懸濁銃合法、あるいはスプレードライ法を用いて形成される。
【００１９】
本発明の別の実施の形態では、基板への画像形成は、基板の第１の表面に画像を静電転写し、マイグレーション染料を含むトナーを基板に付着させて、基板の第２の表面に現れる形で画像のコピーを形成する、という形で行われる。当実施の形態の１つの側面によれば、画像形成手段は、マイグレーション促進剤を有する基板を設ける、というステップを有す。
【発明を実施するための最良の形態】
【００２０】
本発明については、図面を参照しながら、本発明の詳細な説明と特許請求の範囲とを読めば、さらに完全に理解することができるだろう。なお、すべての図面を通して、類似の参照番号は同種の部材を示す。
当業者であれば理解できるだろうが、図面に示す部材は、簡素かつ明確になるように図示したものであって、必ずしも原寸で描かれたものではない。本発明の実施の形態をさらに理解しやすくするため、図の中の部材にはたとえば、他の部材と比べて誇張されているものがある。
【００２１】
以下、当業者が本発明を利用できるよう説明をし、発明者によって熟慮された最良の発明実施様態を開示する。しかし、ここに規定された、文書にセキュリティ画像を生成するためのトナーベースシステムの形成、およびそのシステムの形成方法および利用方法は、一般的原理であって、当業者であれば、本説明に対しさまざまな変更が加えられることは容易に理解できるだろう。
【００２２】
図１は、本発明の１つの実施の形態による、セキュリティ文書を印刷するためのシステム１００を示す図である。システム１００は、トナー１０２と基板１０４とを有し、それらは協働して印刷画像とその下にある印刷画像の潜像コピーとを生成し、当該印刷画像は基板１０４の第１の表面１０６上にあって、当該印刷画像の潜像コピーは基板の第１の表面（１０６）および／あるいは第２の表面（１０８）に現れる。印刷画像と潜像コピーとの間にずれがあれば偽造されたことを示し、潜像コピーがあるべきところになければ文書が複製品であるということを示すため、システム１００を利用して形成された文書は、偽造が困難であり、複製された文書は容易にそれと検知される。
【００２３】
システム１００によって、画像を基板に印刷する場合は、たとえば、静電印刷法やファクシミリ印刷法を使って、トナー１０２を基板１０４に転写する。この場合、トナーは基板の一部分に転写されて所望の画像を作り、その画像は、たとえば熱および／あるいは圧力および／あるいは蒸気溶融のプロセスなどによって基板に溶融定着される。印刷画像の潜像は、印字面の下にある部分に染料を毛細現象あるいはクロマトグラフィー形でマイグレーションさせることで形成される。
【００２４】
図２は、システム１００を使って形成された小切手２００を示す図である。詳しく言えば、図２（a）は、小切手の第１の表面２０４に印刷された画像２０２を示す。さらに画像２０６が、染料のマイグレーションによって形成されており、これは小切手の反対側の面２０８上に、あるいはこの面から肉眼で見える形となっている。
図１をふたたび参照する。本発明の１つの実施の形態では、トナー１０２は、熱可塑性バインダ樹脂、着色剤、電子制御剤、ならびにマイグレーション染料１１０を有す。熱可塑性バインダ樹脂、着色剤、電子制御剤はそれぞれ、一般的なトナーに使われているものと同じでもよい。トナー１０２にはさらに、マイグレーション剤１１２などのその他の成分を配合してもよい。マイグレーション剤１１２は、染料１１０が基板をマイグレーションすることおよび／あるいは染料が最初にマイグレーションした後、これが所定位置に溶融定着するのを助ける（たとえば、染料の側面流動を軽減させる）よう構成してもよい。例示を目的として、染料とマイグレーション剤とだけをそれぞれ図１に示している。図に示すトナーは１成分トナーだが、ここに説明されるようなセキュリティ文書の形成には、２成分トナーを含む組成（たとえばトナーと現像剤）を使ってもよい。本発明の使用に適したトナーについては、本発明の出願人によって本願と同時に提出された特許出願（シリアル番号＿号）において説明されており、その内容は参照という形で本文書に含まれる。
【００２５】
熱可塑性バインダ樹脂は、トナーが基板に溶融定着するのを助ける。本発明の１つの実施の形態では、バインダ樹脂の溶融率は、１２５℃の状態で１ｇ／１０分〜５０ｇ／１０分であり、ガラス転移温度はほぼ５０℃〜６５℃である。熱可塑性バインダ樹脂に適した素材の例としては、ポリエステル樹脂、スチレンの共重合ポリマーおよび／あるいは単独ポリマー（スチレンアクリル樹脂、メタクリル樹脂、スチレン−ブタジエン−エポキシ樹脂、ラテックスベースの樹脂など）がある。具体的な例では、熱可塑性バインダ樹脂は、EliokemがPliolite S５A 樹脂として発売しているスチレンブタジエン共重合ポリマーがある。
【００２６】
トナー１０２と共に使う着色剤は、電子写真画像印刷に使われる着色剤（酸化鉄その他のマグネタイト物質、カーボンブラック、マンガン二酸化物、酸化銅、ならびにアニリンブラックなど）であればいかなるものでもよい。１つの具体的な例として、着色剤は、Mapico BlackとしてRockwood Pigments[ロックウッドピグメント]社から発売されている酸化鉄である。
【００２７】
電荷制御剤は、トナー内部に所望の電荷を維持するのを助け、画像を静電ドラムなどから基板へ転写するのを容易にする。本発明の１つの実施の形態では、電荷制御剤は、負帯電の制御化合物を含み、当該制御化合物は、金属塩あるいは非金属錯塩（銅色フサロシアニン色素、アルミニウム錯塩、第４級フッ素アンモニウム塩、クロム錯塩タイプのアゾ染料、クロム錯塩、ならびにカリックスアレーン化合物など）である。
【００２８】
上記のように、トナーにはさらに、ワックスなどの離型剤を配合してもよい。離型剤は、低分子重量のポリオレフィンあるいはその誘導体（ポリプロピレンワックスあるいはポリエチレンワックスなど）を含む。
本発明によれば、染料は、基板１０４中では強度の色素吸収性、またマイグレーション液内では十分な溶解性を示し、さらに十分な安定性を示すものがよい。さらに、周囲の熱、光、および湿度の状態から、非中毒性であるトナーの現像特性が悪影響を受けないことが好ましい。また、染料は不滅性であるのが好ましい。トナー１０２の溶解性染料としては、フェナジン、スチルベン、ニトロソ基、トリアリールメタン染料、ジアリールメタン、シアニン、ペリレン、タートラジン、キサンテン、アゾ含有物、ジアゾ化合物、トリフェニルメタン、フルオラン、アントラキノン、ピラゾロン、キノリン、フタロシアニンなどがある。本発明の１つの実施の形態では、染料は、赤色でキサンテンから作られ、BASFからBaso Red ５４６という商号で発売されているものであるが、他の着色染料であっても本発明の使用に適している。
【００２９】
本発明のさらに別の実施の形態では、潜像は、トリフェニルメタン染料あるいはフルオランなどの着色染料を使って形成され、対応する相互反応物質は、トナーまたは基板のいずれか一方に含まれる。相互反応物質は、酸性化合物あるいは電子受容性化合物などであり、着色染料と反応して印刷画像の潜像を作る。相互反応物質の原料の例として、ビスフェノールA、p―ヒドリキシ安息香酸ブチルエステルなどがあり、それらは電荷制御剤の機能も果たす。着色染料は一般的に正帯電されており、したがって正帯電トナーの中で使われる。本発明の別の実施の形態（後で詳しく説明する）では、着色染料および／あるいは相互反応物質は基板の上または内部にあり、たとえば溶融定着プロセス中に相互に反応して、セキュリティ画像を形成するよう構成されている。
【００３０】
トナーがマイグレーション促進剤を含む場合、この促進剤については、他のトナー構成成分と直接融合するか、染料と混ぜた後で他のトナー構成構成成分と混合するか、シリカもしくは類似の化合物に付着（外添）させたうえで他のトナー構成成分に加えるか、溶融定着プロセス中に溶融する材料の中にカプセル化しておくか、あるいは染料と共にカプセル化するかのいずれにしてもよい。
【００３１】
好ましいのは、バインダ樹脂粒子を最初に溶融混練する形で形成したトナーである。着色剤、電荷制御剤、離型剤、染料、およびマイグレーション剤（必須ではない）は、混合機を用いてバインダ樹脂粒子に混合される。混合物はその後冷却され、風力分級機を用いて粉砕される。ほぼ０．１〜１５μｍサイズに微粉砕された粒子は、微小粒子を取り除くために分散され、ほぼ６〜１５μｍサイズの粒子を有する完成混合物が得られる。分散されたトナーにはそれから、シリカあるいはチタニアなどの無機原料を微粉砕した粒子が乾燥付着される。無機原料はトナー表面に付着されるが、それは、トナー粒子の流動性を高め、感光性の画像面のブレードクリーニング性を高め、トナーの耐熱保存性を増し、そしてトナー粒子の摩擦帯電性を促進する、ということを主要な目的とする。あるいは、セキュリティトナーは、ここでは詳しく説明はしないが、他の種類の混合技術によって作ることもできる。これら別方法には、溶融分散、分散重合法、懸濁重合法、あるいはスプレードライ法などがあげられる。
【００３２】
以下の非限定的な例が示すのは、本発明のさまざまな実施の形態に従ってトナーを形成する際に役立つ、材料とプロセスとのさまざまな組み合わせである。これらの例は単に説明のためのものであって、本発明が、これらの説明用の例に限定されるわけではない。
「トナー例I」
以下の例が示すのは、電子写真印刷に使われる８μｍのセキュリティトナーの製法である。下に表の形で示す具体的な組成を有するトナー構成物は、まず完全に事前混合されてから、ロールミルで溶融混練される。こうしてできたポリマー混練物は、冷却され、その後Bantam Pregrinder[バンタムミル]（Hosokawa Micron Powder Systems[ホソカワミクロンパウダーシステムズ]発売）で粉砕される。粗粉砕された粒子は、風力分級機を用いて、ほぼ８μｍ（Coulter Multisizer[コールター精密粒子分布分析装置]による測定）の中心粒径を有するトナーとされる。トナーはそれから、ほぼ０．５％のジメチルジクロロシラン処理シリカ（Nippon Aerosil Co.[日本アエロジル株式会社]から市販されているAerosil R９７６）とヘンセルミキサーで乾燥混合することにより、表面処理される。
【００３３】
【表１】
2005526274.tif 000003
【００３４】
こうして製造された１成分トナーは、Hewlett Packard[ヒューレット・パッカード] ５Siプリンタなどの予定のプリンタの適正カートリッジに補給される。このトナーを使って得られた画像は、マクベス濃度計では１．４０を超える画像密度を示し、鮮明で、印刷当初、標準的なHammermill [ハマーミル]社製２０ポンドレーザコピー紙の場合、肉眼で見える赤染料のマイグレーションは認識されなかった。
「トナー例II」
以下の例が示すのは、表の形で示す具体的な重量組成を有し、電子写真印刷で使われる１０μｍのセキュリティ性マグネティック・インク・キャラクター・リコグニション（MICR）トナーの製法例である。下記の具体的な組成を有するトナー構成物は、最初に十分均一混合された後、ロールミルで溶融混練される。溶融混練されたポリマー混練物は、冷却後、バンタムミルで粉砕される。粗粉砕された粒子は、風力分級機によって、ほぼ１０μｍ（コールター精密粒子分布分析装置による測定）の中心粒径を有するトナーに分級される。トナーはそれから、１．０％のヘキサメチルジシラサン処理シリカ（Nippon Aerosil Co.[日本アエロジル株式会社]から市販されているAerosil R８２００）とヘンセルミキサーで乾燥混合することによって、表面処理される。
【００３５】
【表２】
2005526274.tif 000004
【００３６】
こうして製造された１成分トナーは、ヒューレット・パッカード５Siプリンタなどの予定のプリンタ用の適正カートリッジに補給される。このトナーを使って得られた画像は、マクベス濃度計では１．４０を超える画像密度を有し、高解像度であり、地肌汚れがなく、当初、標準的なハマーミル社製２０ポンドレーザコピー紙の場合、肉眼で見える赤染料のマイグレーションは認識されなかった。
【００３７】
MICR評価のため、磁性コード化された文書にはE１３―Bフォントが使われており、このフォントは、American National Standards Institute（ANSI）[米国標準化国家機構]が規定した、小切手コード化のための標準フォントである。上記のトナーを使った場合の印刷文書から出される磁気信号について、RDM Golden Qualifier MICR読み取り装置でテストした。E１３―Bフォントを使ったMICR文書に対し、ANSI標準は、５０〜２００％の公称磁気強度を求めている。上に規定した製法を使って形成されたMICRトナーは、完全にコード化された文書を印刷する際、ほぼ１００％の公称磁気強度値のMICR信号を発する。
「トナー例III」
染料を含んだ基板に用いる、相互反応物質入りトナーは、次のように形成される。すなわち、サリチル酸の亜鉛複合体を有する負帯電性電荷制御剤と、ほぼ１パーセントのMagee MSOオイルとを混合する。前記亜鉛複合体は、Copikem Red染料に適した相互反応物質として働く。
【００３８】
図３乃至５は、本発明のトナーを用いてセキュリティ文書を印刷するのに適したさまざまな基板を示す。さらに詳しく言えば、図３は、基材３０２とマイグレーション材を有するコーティング３０４とを含む基板３００を示し、図４は、基材４０２とマイグレーション剤を有するコーティング４０４、４０６とを含む基板４００を示し、図５は、基材５０２に埋め込みあるいは混合された形でマイグレーション剤５０４を有する基板５００を示す。
【００３９】
基材３０２、４０２、５０２に適した原料として、パルプ主成分の紙製品などの紙があげられる。基板をパルプ主成分の紙製とする場合、紙パルプ繊維は、機械的、化学機械的、あるいは化学的な手法のいずれでも作ることができる。パルプについてはたとえば、針葉樹または広葉樹などのリグノセルロースから製造してもよいし、異なるパルプ繊維の混合物としてもよい。また、パルプは、無漂白、半漂白、あるいは漂白のいずれでもよい。紙基材には、パルプ繊維に加えて、スターチ化合物、疎水剤、保有剤、シェーディング顔料、充填材、そしてトリアセチンなど、一般的に製紙に使われる構成物を１つ以上配合してもよい。
【００４０】
マイグレーション液は、染料（たとえば、染料１１０）の溶剤として働く化学物質または化合物ならどんなものでもよいが、基材の中または上においても、基材の特性に有害な影響を特に与えないものとする。コーティング３０４、４０４、４０６とマイグレーション液５０４とに適したマイグレーション剤として、オイル、可塑剤、液状ポリマー、あるいはこれら成分の組み合わせがあげられる。本発明の具体的な実施の形態では、マイグレーション剤は、次の構成物を１つ以上有する：２，２，４−トリメチル−１、３ペンタンジオールジイソブチレート、トリアセチン、ビス（２−エチルヘキシルアジパート）、ジトリデシルアジパード、アジパードエステル、フタラートエステルなどの可塑剤、カルボキシル酸、長鎖アルコール、またはカルボキシル酸および長鎖アルコールのエステルなどの芳香族または脂肪族の炭化水素、ポリビニールアルコール、ポリエステル、ポリエチレン、ポリプロピレン、ポリアクリルアミド、そしてスターチの乳濁液などの液状ポリマー。
【００４１】
図３および図４に示すように、マイグレーション液を、基板にコーティングする場合、基材（たとえば、基材３０２）の上にコーティング（たとえば、コーティング３０４）を形成するための技術としては、ロッドコート、グラビアコート、リバースロールコート、浸漬によるコート、カーテンコート、スロットダイコート、ギャップコート、エアナイフコート、ロータリーコート、スプレーコート、その他、といった公知のコーティング技術が使用できる。実際に用いる技術としては、所望のコーティング技術を選べばよいが、マイグレーション促進剤コーティングを、移動する紙ロールなどの基板の全体にわたってほぼ均一に塗装する形で実現できるものが好ましい。
【００４２】
マイグレーション液を含むコーティングの望ましい量は、用法により異なる。本発明の１つの実施の形態では、基板は、表面に塗布される１コーティングを有し、当該コーティングの量はほぼ０．１ｇ／ｍ2〜２０グラム／ｍ2であるが、ほぼ６ｇ／ｍ2〜８ｇ／ｍ2とするのがよい。図４に示す本発明の別の実施の形態では、基板がコーティングを２つ有しており、基板のそれぞれの面に塗布するマイグレーション促進剤は別々のものとするのが望ましい。たとえば、本発明の１つの実施の形態では、裏面のコーティングは、ほぼ０．１ｇ／ｍ2〜２０ｇ／ｍ2であり、ほぼ４ｇ／ｍ2〜５ｇ／ｍ2とするのがよい。また、基板の表側の面のコーティングは、ほぼ０．１ｇ／ｍ2〜５ｇ／ｍ2であり、ほぼ２ｇ／ｍ2〜３ｇ／ｍ2とするのがよい。コーティングの好ましい量と厚みとは、基材となる紙の厚さ、紙の多孔度、紙に施された前処理、そしてダイを介して基板の裏面に形成される画像に求められる明度ならびに画質、といった要因によって決まる。たとえば、染料のマイグレーションが大きいほうがよければ、コーティングおよび／あるいはマイグレーション促進剤の量は増やせばよく、染料のマイグレーションが小さいほうがよければ、コーティングおよび／あるいはマイグレーション促進剤の量は減らせばよい。
【００４３】
紙の基板に塗布されるコーティングは、マイグレーション剤だけを含むことにしてもよい。あるいは、コーティングに化学物質をさらに加えることで、たとえばマイグレーション液がもれるのを防いだり、基板同志が離れやすくなるようにするなどしてもよい。コーティングの追加成物は、マイグレーション促進剤と共に塗布してもよいし、別の堆積プロセス（マイグレーション促進剤の基材への塗布前、または塗布後）において塗布してもよい。たとえば、Kemamide E Waxなどのワックス素材を使えばマイグレーション液を基材紙の内部に密封することができる。あるいは、コーティングに、重合ビニールアルコールあるいはポリエチレングリコールなどのポリマーを含ませることで、紙1枚１枚の間のバリアを形成するようにしてもよい。マイグレーション液は、基板にコーティングしても、基材内部に埋め込んでもよく、あるいは適当なポリマー製シェルにカプセル化して、プリンタの定着プロセスの間にこのシェルが破壊されるという形にしてもよい。あるいは、マイグレーション剤は、シリカなどのキャリヤに吸収させておいて、紙にコーティングする形にしてもよい。図４に示す本発明の１つの実施例によれば、基板の裏面に施された第１のコーティング４０４は、ワックスおよび適当な溶剤を含むことで、コーティング材料（コーティングが基材に塗布された後で蒸発してもよい）の塗布を補助するが、第２のコーティングは、マイグレーション促進剤と何らかの溶剤とだけを含む。
【００４４】
マイグレーション促進剤に加えて、あるいはその代わりに、コーティング剤や活性剤が、上で述べたような相互反応物質、無色物質および／あるいは染料形成物質を有し、印刷画像のセキュリティ画像を形成するという構成にしてもよい。
以下、本発明のさまざまな実施の形態に従った基板を形成するのに役立つ材料とプロセスとの各種組み合わせを、非限定的な例として示す。これらの例は、単に例示的なものであって、本発明は、これらの実例に限定されない。
【００４５】
「基板例I」
以下に示す紙用コーティングは、下に表で示す構成物を下に示した重量割合で含み、高速ミキサーを備えた反応炉の中で、ほぼ８０℃の温度でほぼ２時間かけて分散させたものである。反応炉は、室温まで冷却させる。こうしてできた反応混合物はその後、５０μｍのフィルターを使ってろ過する。コーティング混合物は、グラビアロールコーティング技術によって、移動する紙ロールに転写される。コーティングは、ほぼ１０ｇ／ｍ2のコート重量で基材に塗布される。
【００４６】
【表３】
2005526274.tif 000005
【００４７】
コート処理後の紙シートを、セキュリティトナーと組み合わせて、ヒューレット・パッカード5SIレーザプリンタを用いてテストした。当初、得られた画像は、許容可能な画像濃度および解像度を有し、地肌汚れがなく、肉眼で見える赤染料のマイグレーションはなかった。印刷からほぼ２４時間のうちに、紙のうち印刷されていない方の面に、肉眼で見ることのできる不滅画像が形成された。その後、文書のうち印刷されている方の面に残ったトナーを除去すると、赤い不滅画像が残った。
【００４８】
「基材例II」
基材内部に埋め込まれた形でマイグレーション促進剤を含み、７５ｇ／ｍ2の重量割合を有する紙基材であり、ペーパーミルを使って製造される。パルプ完成紙料は、ISO白色度がほぼ８９％の硫酸塩樺パルプ繊維（ほぼ６０％）とISO白色度がほぼ９０％の硫酸塩松パルプ繊維（ほぼ４０％）とを含む。スターチ、疎水剤、保有剤、シェーディング顔料、チョーク、そしてトリアセチンを、紙パルプ混合物に配合してもよい。完成した紙は、まず巻取にかけられ、その後８1／2インチ×１１インチ標準サイズのシートにされる。
【００４９】
上記のセキュリティトナーと紙シートとを併用して印刷した文書を、ヒューレット・パッカードレーザプリンタを用いてテストした。当初、得られた画像は、画像濃度および解像度が高く、地肌汚れがなく、肉眼で見える赤染料のマイグレーションは明白に見て取れなかった。印刷からほぼ２４時間のうちに、紙の印刷されていない方の面に、不滅画像が肉眼で見て取れるようになった。文書のうち印刷されている方の面に残ったトナーを後に除去すると、赤い残留画像が残った。
【００５０】
「基材例III」
コーティング懸濁液は、２ｇの無定形シリカ、１０ｍｌのMagiesol MSOオイル、そして１０ｇのKenamid E Waxを混合することによって得られる。この混合物に熱を加えてワックスを溶かしてから、１枚の水平ガラスを使ってハマーミルコピー紙の裏面にコーティングする。この紙に、Pylam Products 社製造のPylam Red 染料を含むトナーを用いて印刷したところ、印刷画像のセキュリティ画像は、印刷から２４時間のうちに現れた。
【００５１】
「基材例IV」
相互反応物質を有するトナーと共に用いる無色染料を有する基材は、次のように形成される。すなわち、Copikem Red染料を、Magee MSOオイルの中に溶かし、ハマーミルコピー紙にコート処理する。
「基材例V」
相互反応物質を有するトナーと共に用いる無色染料を有する基材は、ほぼ０．２ｇのCopikem Red染料をほぼ５ｍｌのUniplex１２５A可塑剤（Unitex Chemical 社製造）に溶かし、その溶融物をハマーミルコピー紙にコートすることによって形成される。
【００５２】
「基材例VI」
染料形成化合物と相互反応物質とを両方とも有する基材は、Copikem Red染料とサリチル酸とを別々にカプセル化し、それらカプセル化した化合物の両方をハマーミルコピー紙にコーティングすることによって形成される。紙の印刷に、HP４０５０プリンタなどのプリンタを用いる場合、印刷画像のセキュリティ赤画像は、紙の裏面に現れる。
【００５３】
本発明についてここまで、添付の図面に従って説明してきたが、理解すべき
こととして、本発明は、図示した具体的な構成に限定されるものではない。たとえば、本発明は、便宜上、パルプベースの紙と関連づけて説明されているが、それには限定されない。すなわち、本発明による基材は、他の種類の紙であってもよいし、紙以外をベースにした他の基材であってもよい。ここに示す方法およびシステムのデザインならびに手順の組み合わせ方に対して、添付の特許請求の範囲によって規定される本発明の精神および範囲を逸脱しない形で、さらにさまざまな変更、変形、そして改良を加えることができるだろう。
【図面の簡単な説明】
【００５４】
【図１】本発明による、セキュリティ文書の印刷システムを示す図である。
【図２】（a）、（b）とも、本発明のシステムを利用して形成された小切手を示す図である。
【図３】本発明の１つの実施の形態による基板を示す図である。
【図４】本発明の別の実施の形態による基板を示す図である。
【図５】本発明による、さらに別の基板を示す図である。
【図１】
2005526274.tif 000006
【図２】
2005526274.tif 000007
【図３】
2005526274.tif 000008
【図４】
2005526274.tif 000009
【図５】
2005526274.tif 000010
【国際調査報告】
2005526274.tif 000011